【手続補正書】
【提出日】平成23年2月17日(2011.2.17)
【手続補正１】
【補正対象書類名】明細書
【補正対象項目名】発明の名称
【補正方法】変更
【補正の内容】
【発明の名称】個別小規模発電装置の管理装置および電力供給システム
【手続補正２】
【補正対象書類名】特許請求の範囲
【補正対象項目名】全文
【補正方法】変更
【補正の内容】
【特許請求の範囲】
【請求項１】
個別小規模発電装置を管理する管理装置であって、
複数の個別小規模発電装置の発電に関するデータを収集し、
前記収集したデータに基づいて前記複数の個別小規模発電装置の中から発電性能低下の大きい個別小規模発電装置を検出し、
前記発電性能低下の大きい個別小規模発電装置に関する情報を発信する、個別小規模発電装置の管理装置。
【請求項２】
前記発電に関するデータとは前記個別小規模発電装置の発電量データであり、
前記管理装置は、前記複数の個別小規模発電装置の前記発電量データを比較および演算することにより前記発電性能低下の大きい個別小規模発電装置を検出する、請求項１に記載の個別小規模発電装置の管理装置。
【請求項３】
前記複数の個別小規模発電装置は気象条件が同一とみなされる地域内に設置された、請求項１または２に記載の個別小規模発電装置の管理装置。
【請求項４】
前記気象とは風であり、前記個別小規模発電装置は風力発電装置である、請求項３に記載の個別小規模発電装置の管理装置。
【請求項５】
前記発電に関するデータとは前記個別小規模発電装置の発電量データおよび前記個別小規模発電装置の設置された場所の気象条件を示すデータであり、
前記管理装置は、前記個別小規模発電装置の発電量データおよび前記個別小規模発電装置の設置された場所の気象条件を示すデータを用いて前記個別小規模発電装置が前記気象条件の基準状態の下に置かれたとすれば得られる発電量である換算発電量を前記複数の個別小規模発電装置について算出し、前記算出した換算発電量の大小を比較することにより前記発電性能低下の大きい個別小規模発電装置を検出する、請求項２または３に記載の個別小規模発電装置の管理装置。
【請求項６】
前記管理装置は、前記複数の個別小規模発電装置について算出した前記換算発電量の中で最小値のものを特定することにより前記発電性能低下の大きい個別小規模発電装置を検出する、請求項５に記載の個別小規模発電装置の管理装置。
【請求項７】
前記管理装置は、前記複数の個別小規模発電装置について算出した前記換算発電量の平均値を算出し、前記換算発電量が前記平均値より小さくかつ前記平均値と前記換算発電量との差分が前記平均値の１０％程度である前記換算発電量を特定することにより前記発電性能低下の大きい個別小規模発電装置を検出する、請求項５に記載の個別小規模発電装置の管理装置。
【請求項８】
前記個別小規模発電装置とは太陽光発電装置であり、
前記気象条件を示すデータとは前記太陽光発電装置への日射量および前記太陽光発電装置のパネル温度を示すデータである、請求項５から７のいずれかに記載の個別小規模発電装置の管理装置。
【請求項９】
前記管理装置は、以下の式を用いて前記換算発電量を算出する、請求項８に記載の個別小規模発電装置の管理装置。
Ｓ＝Ｄ×（１００／Ｎ）×［１００／{１００−（Ｔｋ−Ｔｐ）×ｒ}］
ただし、Ｓは前記換算発電量、Ｄは前記発電量データ、Ｎは前記太陽光発電装置への日射量、Ｔｋは気象条件の基準状態であるパネル基準温度、Ｔｐは前記太陽光発電装置のパネル温度、ｒは前記太陽光発電装置のパネル温度１℃の上昇に対して前記太陽光発電装置の発電量が低減する割合である低減率である。
【請求項１０】
前記発電に関するデータは同時刻における瞬時値である、請求項１から９のいずれかに記載の個別小規模発電装置の管理装置。
【請求項１１】
前記複数の個別小規模発電装置は同形式かつ同性能である、請求項１から１０のいずれかに記載の個別小規模発電装置の管理装置。
【請求項１２】
前記管理装置は、前記情報を発信して、所定の組織への保守依頼を行なう、請求項１から１１のいずれかに記載の個別小規模発電装置の管理装置。
【請求項１３】
個別小規模発電装置を管理する管理装置と、
コンピュータと、
前記コンピュータに接続された表示装置とを備え、
前記管理装置は、複数の個別小規模発電装置の発電に関するデータを収集し、前記収集したデータに基づいて前記複数の個別小規模発電装置の中から発電性能低下の大きい個別小規模発電装置を検出し、前記発電性能低下の大きい個別小規模発電装置に関する情報を前記コンピュータに発信し、
前記コンピュータは、前記管理装置から発信された前記情報を受信して、受信した前記情報を前記表示装置に表示させる、電力供給システム。
【請求項１４】
前記発電に関するデータとは前記個別小規模発電装置の発電量データであり、
前記管理装置は、前記複数の個別小規模発電装置の前記発電量データを比較および演算することにより前記発電性能低下の大きい個別小規模発電装置を検出する、請求項１３に記載の電力供給システム。
【請求項１５】
前記複数の個別小規模発電装置は気象条件が同一とみなされる地域内に設置された、請求項１３または１４に記載の電力供給システム。
【請求項１６】
前記気象とは風であり、前記個別小規模発電装置は風力発電装置である、請求項１５に記載の電力供給システム。
【請求項１７】
前記発電に関するデータとは前記個別小規模発電装置の発電量データおよび前記個別小規模発電装置の設置された場所の気象条件を示すデータであり、
前記管理装置は、前記個別小規模発電装置の発電量データおよび前記個別小規模発電装置の設置された場所の気象条件を示すデータを用いて前記個別小規模発電装置が前記気象条件の基準状態の下に置かれたとすれば得られる発電量である換算発電量を前記複数の個別小規模発電装置について算出し、前記算出した換算発電量の大小を比較することにより前記発電性能低下の大きい個別小規模発電装置を検出する、請求項１４または１５に記載の電力供給システム。
【請求項１８】
前記管理装置は、前記複数の個別小規模発電装置について算出した前記換算発電量の中で最小値のものを特定することにより前記発電性能低下の大きい個別小規模発電装置を検出する、請求項１７に記載の電力供給システム。
【請求項１９】
前記管理装置は、前記複数の個別小規模発電装置について算出した前記換算発電量の平均値を算出し、前記換算発電量が前記平均値より小さくかつ前記平均値と前記換算発電量との差分が前記平均値の１０％程度である前記換算発電量を特定することにより前記発電性能低下の大きい個別小規模発電装置を検出する、請求項１７に記載の電力供給システム。
【請求項２０】
前記個別小規模発電装置とは太陽光発電装置であり、
前記気象条件を示すデータとは前記太陽光発電装置への日射量および前記太陽光発電装置のパネル温度を示すデータである、請求項１７から１９のいずれかに記載の電力供給システム。
【請求項２１】
前記管理装置は、以下の式を用いて前記換算発電量を算出する、請求項２０に記載の電力供給システム。
Ｓ＝Ｄ×（１００／Ｎ）×［１００／{１００−（Ｔｋ−Ｔｐ）×ｒ}］
ただし、Ｓは前記換算発電量、Ｄは前記発電量データ、Ｎは前記太陽光発電装置への日射量、Ｔｋは気象条件の基準状態であるパネル基準温度、Ｔｐは前記太陽光発電装置のパネル温度、ｒは前記太陽光発電装置のパネル温度１℃の上昇に対して前記太陽光発電装置の発電量が低減する割合である低減率である。
【請求項２２】
前記発電に関するデータは同時刻における瞬時値である、請求項１３から２１のいずれかに記載の電力供給システム。
【請求項２３】
前記複数の個別小規模発電装置は同形式かつ同性能である、請求項１３から２２のいずれかに記載の電力供給システム。
【請求項２４】
前記管理装置は、前記情報を発信して、所定の組織への保守依頼を行なう、請求項１３から２３のいずれかに記載の電力供給システム。
【請求項２５】
前記電力供給システムは、複数の前記個別小規模発電装置を含み、
前記電力供給システムは、前記複数の個別小規模発電装置の管理単位を、気象条件および地理的な制約を考慮した特定地域にグループ分けして前記複数の個別小規模発電装置の数より少ない数とする、請求項１３，１４，１７から２４のいずれかに記載の電力供給システム。